(57)【要約】【課題】複数のリスト項目が限られた表示領域内に収まらない際に、この複数のリスト項目をスクロール表示させる場合、複数のリスト項目のうちの選択したリスト項目を確認しながら、それ以外のリスト項目をスクロール表示することができるようにする。【解決手段】操作受付部３４は、タッチパネル機能を備える表示部３２に対するタッチ操作に基づくユーザの指示を受け付ける。制御部３１は、表示部３２のある表示領域内において複数のリスト項目を表示する際に、複数のリスト項目のスクロール表示を行う指示が操作受付部３４により受け付けられた場合、複数のリスト項目が表示領域内でスクロール表示されるよう制御する。制御部３１は、複数のリスト項目のうちから特定のリスト項目がユーザにより選択された場合、選択されたその特定のリスト項目が表示領域のスクロール方向の端部において固定された状態で表示され続けるよう表示部３２を制御する。【選択図】図３
2020030455.tif 000002
【特許請求の範囲】
【請求項１】
タッチパネル機能を備える表示部と、
前記表示部に対するタッチ操作に基づくユーザの指示を受け付ける操作受付手段と、
前記表示部のある表示領域内において複数のリスト項目を表示する際に、複数のリスト項目のスクロール表示を行う指示が前記操作受付手段により受け付けられた場合、前記複数のリスト項目が前記表示領域内でスクロール表示されるよう制御し、複数のリスト項目のうちから特定のリスト項目がユーザにより選択された場合、選択された当該特定のリスト項目が前記表示領域のスクロール方向の端部において固定された状態で表示され続けるよう前記表示部を制御する表示制御手段と、
を備えた情報処理装置。
【請求項２】
前記表示制御手段は、前記操作受付手段により受け付けられたユーザの指示により前記表示領域が予め設定された状態となった場合、固定された状態で表示されているリスト項目の表示サイズを縮小して、リスト項目がスクロール可能な領域が拡大されるように制御する請求項１記載の情報処理装置。
【請求項３】
前記表示制御手段は、前記表示領域におけるリスト項目が固定された状態で表示された領域の面積が予め設定された値以上となった場合、固定された状態で表示されているリスト項目の表示サイズを縮小して、リスト項目がスクロール可能な領域が拡大されるように制御する請求項２記載の情報処理装置。
【請求項４】
前記表示制御手段は、前記表示領域におけるリスト項目がスクロール可能な領域の面積が予め設定された値以下となった場合、固定された状態で表示されているリスト項目の表示サイズを縮小して、リスト項目がスクロール可能な領域が拡大されるように制御する請求項２記載の情報処理装置。
【請求項５】
前記表示制御手段は、前記表示領域におけるリスト項目がスクロール可能な領域の面積が予め設定された値以下となった後に、複数のリスト項目のスクロール表示を行う指示が前記操作受付手段により受け付けられた際に、固定された状態で表示されているリスト項目の表示サイズを縮小してリスト項目がスクロール可能な領域が拡大されるように制御する請求項４記載の情報処理装置。
【請求項６】
前記表示制御手段は、前記表示領域におけるリスト項目がスクロール可能な領域の面積が予め設定された値以下となった後に、複数のリスト項目のうちのいずれかが選択された際に、固定された状態で表示されているリスト項目の表示サイズを縮小してリスト項目がスクロール可能な領域が拡大されるように制御する請求項４記載の情報処理装置。
【請求項７】
前記表示制御手段は、前記特定のリスト項目がスクロールして前記表示領域におけるスクロール方向の端部に到達した場合に、選択された当該特定のリスト項目が前記表示領域の端部において固定された状態で表示され続けるよう前記表示部を制御する請求項１から６のいずれか記載の情報処理装置。
【請求項８】
前記表示制御手段は、ユーザにより選択された特定のリスト項目がスクロールして前記表示領域におけるスクロール方向の端部に到達した場合に、選択された当該特定のリスト項目の表示サイズを縮小して前記表示領域の端部において固定された状態で表示され続けるよう前記表示部を制御する請求項７記載の情報処理装置。
【請求項９】
前記表示制御手段は、前記特定のリスト項目の項目名のみが表示されるようにすることにより表示サイズを縮小する請求項２から８のいずれか記載の情報処理装置。
【請求項１０】
前記表示制御手段は、前記特定のリスト項目を図柄表示することにより表示サイズを縮小する請求項２から８のいずれか記載の情報処理装置。
【請求項１１】
前記表示制御手段は、前記特定のリスト項目における設定内容を反映した図柄を表示することにより前記特定のリスト項目の表示サイズを縮小する請求項２から８のいずれか記載の情報処理装置。
【請求項１２】
タッチパネル機能を備える表示部に対するタッチ操作に基づくユーザの指示を受け付ける操作受付ステップと、
前記表示部のある表示領域内において複数のリスト項目を表示する際に、複数のリスト項目のスクロール表示を行う指示が前記操作受付ステップにおいて受け付けられた場合、前記複数のリスト項目が前記表示領域内でスクロール表示されるよう制御するステップと、
複数のリスト項目のうちから特定のリスト項目がユーザにより選択された場合、選択された当該特定のリスト項目が前記表示領域のスクロール方向の端部において固定された状態で表示され続けるよう前記表示部を制御するステップと、
をコンピュータに実行させるためのプログラム。
【発明の詳細な説明】
【技術分野】
【０００１】
本発明は、情報処理装置およびプログラムに関する。
【背景技術】
【０００２】
特許文献１には、装置上において複数の項目を表示する際に、ユーザにとって重要な項目がピン留めされると、ピン留めされた項目を、それぞれのリストの先頭に表示するようにした方法が開示されている。
【０００３】
特許文献２には、複数の情報をリスト状に列挙してスクロール表示する際に、複数の情報それぞれに対する利用頻度を記憶しておき、利用頻度が最も高い情報を表示させた状態でスクロール表示を停止するようにした表示装置が開示されている。
【先行技術文献】
【特許文献】
【０００４】
【特許文献１】特許第４９７９８９１号公報
【特許文献２】特開２０１７−２２７９６５号公報
【発明の概要】
【発明が解決しようとする課題】
【０００５】
本発明の目的は、複数のリスト項目が限られた表示領域内に収まらない際に、この複数のリスト項目をスクロール表示させる場合、複数のリスト項目のうちの選択したリスト項目を確認しながら、それ以外のリスト項目をスクロール表示することができる情報処理装置およびプログラムを提供することである。
【課題を解決するための手段】
【０００６】
［情報処理装置］
請求項１に係る本発明は、タッチパネル機能を備える表示部と、
前記表示部に対するタッチ操作に基づくユーザの指示を受け付ける操作受付手段と、
前記表示部のある表示領域内において複数のリスト項目を表示する際に、複数のリスト項目のスクロール表示を行う指示が前記操作受付手段により受け付けられた場合、前記複数のリスト項目が前記表示領域内でスクロール表示されるよう制御し、複数のリスト項目のうちから特定のリスト項目がユーザにより選択された場合、選択された当該特定のリスト項目が前記表示領域のスクロール方向の端部において固定された状態で表示され続けるよう前記表示部を制御する表示制御手段とを備えた情報処理装置である。
【０００７】
請求項２に係る本発明は、前記表示制御手段が、前記操作受付手段により受け付けられたユーザの指示により前記表示領域が予め設定された状態となった場合、固定された状態で表示されているリスト項目の表示サイズを縮小して、リスト項目がスクロール可能な領域が拡大されるように制御する請求項１記載の情報処理装置である。
【０００８】
請求項３に係る本発明は、前記表示制御手段が、前記表示領域におけるリスト項目が固定された状態で表示された領域の面積が予め設定された値以上となった場合、固定された状態で表示されているリスト項目の表示サイズを縮小して、リスト項目がスクロール可能な領域が拡大されるように制御する請求項２記載の情報処理装置である。
【０００９】
請求項４に係る本発明は、前記表示制御手段が、前記表示領域におけるリスト項目がスクロール可能な領域の面積が予め設定された値以下となった場合、固定された状態で表示されているリスト項目の表示サイズを縮小して、リスト項目がスクロール可能な領域が拡大されるように制御する請求項２記載の情報処理装置である。
【００１０】
請求項５に係る本発明は、前記表示制御手段が、前記表示領域におけるリスト項目がスクロール可能な領域の面積が予め設定された値以下となった後に、複数のリスト項目のスクロール表示を行う指示が前記操作受付手段により受け付けられた際に、固定された状態で表示されているリスト項目の表示サイズを縮小してリスト項目がスクロール可能な領域が拡大されるように制御する請求項４記載の情報処理装置である。
【００１１】
請求項６に係る本発明は、前記表示制御手段が、前記表示領域におけるリスト項目がスクロール可能な領域の面積が予め設定された値以下となった後に、複数のリスト項目のうちのいずれかが選択された際に、固定された状態で表示されているリスト項目の表示サイズを縮小してリスト項目がスクロール可能な領域が拡大されるように制御する請求項４記載の情報処理装置である。
【００１２】
請求項７に係る本発明は、前記表示制御手段が、前記特定のリスト項目がスクロールして前記表示領域におけるスクロール方向の端部に到達した場合に、選択された当該特定のリスト項目が前記表示領域の端部において固定された状態で表示され続けるよう前記表示部を制御する請求項１から６のいずれか記載の情報処理装置である。
【００１３】
請求項８に係る本発明は、前記表示制御手段が、ユーザにより選択された特定のリスト項目がスクロールして前記表示領域におけるスクロール方向の端部に到達した場合に、選択された当該特定のリスト項目の表示サイズを縮小して前記表示領域の端部において固定された状態で表示され続けるよう前記表示部を制御する請求項７記載の情報処理装置である。
【００１４】
請求項９に係る本発明は、前記表示制御手段が、前記特定のリスト項目の項目名のみが表示されるようにすることにより表示サイズを縮小する請求項２から８のいずれか記載の情報処理装置である。
【００１５】
請求項１０に係る本発明は、前記表示制御手段が、前記特定のリスト項目を図柄表示することにより表示サイズを縮小する請求項２から８のいずれか記載の情報処理装置である。
【００１６】
請求項１１に係る本発明は、前記表示制御手段が、前記特定のリスト項目における設定内容を反映した図柄を表示することにより前記特定のリスト項目の表示サイズを縮小する請求項２から８のいずれか記載の情報処理装置である。
【００１７】
［プログラム］
請求項１２に係る本発明は、タッチパネル機能を備える表示部に対するタッチ操作に基づくユーザの指示を受け付ける操作受付ステップと、
前記表示部のある表示領域内において複数のリスト項目を表示する際に、複数のリスト項目のスクロール表示を行う指示が前記操作受付ステップにおいて受け付けられた場合、前記複数のリスト項目が前記表示領域内でスクロール表示されるよう制御するステップと、
複数のリスト項目のうちから特定のリスト項目がユーザにより選択された場合、選択された当該特定のリスト項目が前記表示領域のスクロール方向の端部において固定された状態で表示され続けるよう前記表示部を制御するステップとをコンピュータに実行させるためのプログラムである。
【発明の効果】
【００１８】
請求項１に係る本発明によれば、複数のリスト項目が限られた表示領域内に収まらない際に、この複数のリスト項目をスクロール表示させる場合、複数のリスト項目のうちの選択したリスト項目を確認しながら、それ以外のリスト項目をスクロール表示することができる情報処理装置を提供することができる。
【００１９】
請求項２に係る本発明によれば、リスト項目をスクロール可能な領域が狭くなってしまうことを防ぐことができる情報処理装置を提供することができる。
【００２０】
請求項３に係る本発明によれば、リスト項目をスクロール可能な領域が、予め設定された面積よりも狭くなってしまうことを防ぐことができる情報処理装置を提供することができる。
【００２１】
請求項４に係る本発明によれば、リスト項目をスクロール可能な領域が、予め設定された面積よりも狭くなってしまうことを防ぐことができる情報処理装置を提供することができる。
【００２２】
請求項５に係る本発明によれば、複数のリスト項目のスクロール表示を行う際に、リスト項目をスクロール可能な領域が、予め設定された面積よりも狭くなってしまうことを防ぐことができる情報処理装置を提供することができる。
【００２３】
請求項６に係る本発明によれば、複数のリスト項目のいずれかが選択された際に、リスト項目をスクロール可能な領域が、予め設定された面積よりも狭くなってしまうことを防ぐことができる情報処理装置を提供することができる。
【００２４】
請求項７に係る本発明によれば、複数のリスト項目が限られた表示領域内に収まらない際に、この複数のリスト項目をスクロール表示させる場合、複数のリスト項目のうちの選択したリスト項目を確認しながら、それ以外のリスト項目をスクロール表示することができる情報処理装置を提供することができる。
【００２５】
請求項８に係る本発明によれば、複数のリスト項目のスクロール表示に伴って、リスト項目をスクロール可能な領域が狭くなってしまうことを防ぐことができる情報処理装置を提供することができる。
【００２６】
請求項９に係る本発明によれば、リスト項目をスクロール可能な領域が狭くなってしまうことを防ぐことができる情報処理装置を提供することができる。
【００２７】
請求項１０に係る本発明によれば、リスト項目をスクロール可能な領域が狭くなってしまうことを防ぐことができる情報処理装置を提供することができる。
【００２８】
請求項１１に係る本発明によれば、リスト項目をスクロール可能な領域が狭くなってしまうことを防ぐことができる情報処理装置を提供することができる。
【００２９】
請求項１２に係る本発明によれば、複数のリスト項目が限られた表示領域内に収まらない際に、この複数のリスト項目をスクロール表示させる場合、複数のリスト項目のうちの選択したリスト項目を確認しながら、それ以外のリスト項目をスクロール表示することができるプログラムを提供することができる。
【図面の簡単な説明】
【００３０】
【図１】本発明の一実施形態の画像形成システムのシステム構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】タッチパネルにより構成された操作パネル４０の一例を示す図である。
【図５】コピー処理を実行するための様々な設定を行うための設定画面の一例を示す図である。
【図６】コピーの設定画面において表示されるリスト項目の一例を示す図である。
【図７】ユーザが表示されたリスト項目の設定内容を変更する場合の操作を説明するための図である。
【図８】スクロール表示を開始するためのスクロール指示をユーザが行う場合の操作を説明するための図である。
【図９】スクロール領域内においてリスト項目のスクロール表示が行われる様子を示す図である。
【図１０】スクロール表示中の可視範囲例を説明するための図である。
【図１１】上方向にリスト項目をスクロールさせて可視範囲がスクロール方向の下端に到達した場合の操作画面例を示す図である。
【図１２】ユーザが複数のリスト項目の中から特定のリスト項目を選択した場合の操作画面例を示す図である。
【図１３】ユーザが複数のリスト項目の中から特定のリスト項目を選択した場合の操作画面例を示す図である。
【図１４】ユーザが複数のリスト項目の中から特定のリスト項目を選択した場合の操作画面例を示す図である。
【図１５】ユーザが複数のリスト項目の中から特定のリスト項目を選択した場合の操作画面例を示す図である。
【図１６】ユーザが複数のリスト項目の中から５つのリスト項目を選択した場合の操作画面例を示す図である。
【図１７】アイコンのみを表示することにより固定表示領域を縮小する表示制御が行われる場合の操作画面例を示す図である。
【図１８】図１７に示した操作画面においてある設定項目の設定内容を変更する場合の操作を説明するための図である。
【図１９】アイコンと設定内容を簡略的に表示することにより固定表示領域を縮小する表示制御が行われる場合の操作画面例を示す図である。
【図２０】項目名のみを表示することにより固定表示領域を縮小する表示制御が行われる場合の操作画面例を示す図である。
【図２１】このような固定表示領域を縮小して表示する際に、それぞれの操作ボタンに項目名を表す場合の表示制御処理を説明するためのフローチャートである。
【発明を実施するための形態】
【００３１】
次に、本発明の実施の形態について図面を参照して詳細に説明する。
【００３２】
図１は本発明の一実施形態の画像形成システムの構成を示す図である。
【００３３】
本発明の一実施形態の画像形成システムは、図１に示されるように、ネットワーク３０により相互に接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００３４】
次に、本実施形態の画像形成システムにおける画像形成装置１０のハードウェア構成を図２に示す。
【００３５】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００３６】
プリントエンジン１７は、帯電、露光、現像、転写、定着などの工程を経て印刷用紙等の記録媒体上に画像を印刷する。
【００３７】
ＣＰＵ１１は、メモリ１２または記憶装置１３に格納された制御プログラムに基づいて所定の処理を実行して、画像形成装置１０の動作を制御する。
【００３８】
なお、本実施形態では、ＣＰＵ１１は、メモリ１２または記憶装置１３内に格納された制御プログラムを読み出して実行するものとして説明するが、当該プログラムをＣＤ−ＲＯＭ等の記憶媒体に格納してＣＰＵ１１に提供することも可能である。
【００３９】
図３は、上記の制御プログラムが実行されることにより実現される画像形成装置１０の機能構成を示すブロック図である。
【００４０】
本実施形態の画像形成装置１０は、図３に示されるように、制御部３１と、表示部３２と、記憶部３３と、操作受付部３４と、画像読取部３５と、通信部３６と、画像出力部３７とを備えている。
【００４１】
通信部３６は、ネットワーク３０を介して端末装置２０等から送信されてきた印刷ジョブ（印刷指示）を受信する。
【００４２】
制御部３１は、通信部３６を介して受信した印刷ジョブや画像読取部３５により読取られた原稿画像等に基づいて印刷データを生成して、生成した印刷データを画像出力部３７から印刷用紙等の記録媒体上に出力する制御を行う。記憶部３３は、制御部３１により生成された印刷データ等の各種データを記憶する。
【００４３】
表示部３２は、制御部３１により制御され、ユーザに各種情報を表示する。操作入力部３４は、ユーザにより行われた各種操作情報を受け付ける。また、表示部３２はタッチパネル機能を備えており、操作受付部３４は、表示部３２に対するタッチ操作に基づくユーザの指示を受け付ける。
【００４４】
制御部３１は、表示部３２の表示内容を制御する表示制御手段として機能し、表示部３２のある表示領域内において複数のリスト項目を表示する際に、複数のリスト項目のスクロール表示を行う指示が操作受付部３４により受け付けられた場合、複数のリスト項目が表示領域内でスクロール表示されるよう制御する。
【００４５】
そして、制御部３１は、複数のリスト項目のうちから特定のリスト項目がユーザにより選択された場合、選択されたその特定のリスト項目が表示領域のスクロール方向の端部において固定された状態で表示され続けるよう表示部３２を制御する。なお、本実施形態では、選択された特定のリスト項目を固定された状態で表示する領域を固定表示領域として説明する。
【００４６】
具体的には、制御部３１は、特定のリスト項目がスクロールして表示領域におけるスクロール方向の端部に到達した場合に、選択されたその特定のリスト項目が表示領域の端部において固定された状態で表示され続けるよう表示部３２を制御する。
【００４７】
なお、制御部３１は、操作受付部３４により受け付けられたユーザの指示により表示領域が予め設定された状態となった場合、固定された状態で表示されているリスト項目の表示サイズを縮小して、リスト項目がスクロール可能な領域が拡大されるように表示部３２を制御する。
【００４８】
ここで、表示領域が予め設定された状態となった場合とは、表示領域におけるリスト項目をスクロール可能な領域の面積の割合が相対的に小さくなり、ユーザにとってスクロール操作がし難い状態となった場合を意味する。
【００４９】
具体的には、表示領域におけるリスト項目が固定された状態で表示された領域の面積の表示領域全体の面積に対する割合が予め設定された値以下となった場合や、スクロール可能な領域において表示されているリスト項目の数が予め設定されていた値以下、例えば表示されているリスト項目の数が３個以下となった場合等が、表示領域が予め設定された状態となった場合に該当する。
【００５０】
制御部３１は、上記で説明したような表示領域が予め設定された状態となった場合に、固定された状態で表示されているリスト項目の表示サイズを縮小して、リスト項目がスクロール可能な領域が拡大されるように表示部３２を制御する。
【００５１】
本実施形態においては、制御部３１は、表示領域におけるリスト項目が固定された状態で表示された領域の面積が予め設定された値以上となった場合、固定表示領域において固定された状態で表示されているリスト項目の表示サイズを縮小して、リスト項目がスクロール可能な領域が拡大されるように表示部３２を制御する。
【００５２】
なお、制御部３１は、表示領域におけるリスト項目がスクロール可能な領域の面積が予め設定された値以下となった場合、固定表示領域において固定された状態で表示されているリスト項目の表示サイズを縮小して、リスト項目がスクロール可能な領域が拡大されるように表示部３２を制御するようにしても良い。
【００５３】
例えば、制御部３１は、表示領域におけるリスト項目がスクロール可能な領域の面積が予め設定された値以下となった後に、複数のリスト項目のスクロール表示を行う指示が操作受付部３４により受け付けられた際に、固定表示領域において固定された状態で表示されているリスト項目の表示サイズを縮小してリスト項目がスクロール可能な領域が拡大されるように表示部３２を制御するようにしても良い。
【００５４】
または、制御部３１は、表示領域におけるリスト項目がスクロール可能な領域の面積が予め設定された値以下となった後に、複数のリスト項目のうちのいずれかが選択された際に、固定表示領域において固定された状態で表示されているリスト項目の表示サイズを縮小してリスト項目がスクロール可能な領域が拡大されるように表示部３２を制御するようにしても良い。
【００５５】
さらに、制御部３１は、ユーザにより選択された特定のリスト項目がスクロールして表示領域におけるスクロール方向の端部に到達した場合に、選択された特定のリスト項目の表示サイズを縮小して表示領域の端部において固定表示領域において固定された状態で表示され続けるよう表示部３２を制御するようにしても良い。
【００５６】
なお、制御部３１は、特定のリスト項目の項目名のみが表示されるようにすることにより固定表示領域において表示される表示サイズを縮小するようにしても良い。
【００５７】
または、制御部３１は、特定のリスト項目をアイコン等により図柄表示することにより固定表示領域において表示される表示サイズを縮小するようにしても良い。
【００５８】
なお、制御部３１は、特定のリスト項目における設定内容を反映したアイコン（図柄）を表示することにより固定表示領域において表示される特定のリスト項目の表示サイズを縮小するようにしても良い。
【００５９】
ここで、本実施形態の画像形成装置１０では、操作受付部３４と表示部３２とはタッチパネルにより操作パネルとして一体的に形成されている。
【００６０】
このようなタッチパネルにより構成された操作パネル４０の一例を図４に示す。図４では、画像形成装置１０の操作盤上にタッチパネルにより構成された操作パネル４０が設けられた場合が示されている。
【００６１】
次に、ユーザがこのような操作パネル４０を操作してコピー（複写）処理を実行する様子について図面を参照して説明する。
【００６２】
図４では、ユーザがホーム画面におけるコピーアイコンをタッチする様子が示されている。ユーザがこのようにコピーアイコンをタッチすると、操作パネル４０では、図５に示されるような操作画面が表示される。
【００６３】
図５に示された操作画面例は、コピー処理を実行するための様々な設定を行うための設定画面となっている。
【００６４】
そして、コピーの設定には様々な設定項目があり、これらの設定項目がリスト項目として設定画面上に表示される。しかし、図６に示すように、コピーの設定画面において表示されるリスト項目には様々な種類がある。そのため、図５に示した操作画面は、図６に示したような数多くのリスト項目をスクロール表示するためのスクロール領域と、スクロール表示されずに同じ内容の設定項目等を表示するための非スクロール領域とから構成されている。
【００６５】
ここでスクロール表示とは、複数のリスト項目が限られたある表示領域（ウィンドウ）内に収まらない場合に、これらの複数のリスト項目を画面の上下方向または横方向にスライドさせて表示する表示方法である。このスクロール表示では、いわゆるスクロールバーやスクロールボタン等の操作によりリスト項目が上下方向や左右方向にスライドさせてスクロール表示される。または、タッチパネル上によりこのスクロール表示を行う際には、フリック操作やスワイプ操作によってリスト項目を上下方向や左右方向にスライドさせてスクロール表示することも行われる。
【００６６】
なお、図５に示した操作画面では、コピーを行うにはかならず設定する必要がある印刷枚数の設定欄は非スクロール領域に配置されており、それ以外の設定項目はリスト項目としてスクロール領域に表示されるようになっている。なお、ユーザは、表示されたリスト項目の設定内容を変更する場合には、表示されたリスト項目を図７に示すようにタッチして設定内容の変更を行う。
【００６７】
なお、図５に示された各リスト項目には、それぞれ、設定項目の項目名、設定内容を示すアイコン（図柄表示）、およびその設定項目の現在の設定内容が表示されている。
【００６８】
そして、ユーザが設定内容を変更したいリスト項目がスクロール領域内に表示されていない場合には、図８に示すような操作によりスクロール指示を行ってスクロール表示を行うことになる。
【００６９】
この図８に示したようなスクロール指示が行われスクロール表示が開始されると、操作画面内のスクロール領域内では、図９に示すように、リスト項目がスクロール表示されて隠れていたリスト項目が順次表示されることになる。そして、ユーザは設定内容を変更したいリスト項目が表示されるとスクロール表示を停止させて、目的のリスト項目の設定内容を変更する。
【００７０】
このようにスクロール表示が行われることにより、図１０に示すように、それぞれのリスト項目は可視範囲に入った場合には表示され、不可視範囲に入った場合には非表示となる。つまり、スクロール表示が行われることによりこの可視範囲が上下方向に移動して、可視範囲内に入っているリスト項目のみが操作画面内のスクロール領域において表示されることになる。
【００７１】
なお、図９に示したようなスクロール表示が行われる際には、ユーザがフリック操作を行ってスクロール表示を行った場合には、フリック操作時の指の移動速度に応じて、指を操作パネル４０から離した後のスクロール速度やスクロール表示の継続時間が決定され、指を離した後のスクロール表示が継続される慣性スクロールが行われることが一般的となっている。
【００７２】
そのため、ユーザが勢いよくフリック操作を行ってスクロール表示を開始した場合、スクロール速度が速くなり目的のリスト項目が通過してしまう可能性がある。なお、上方向にリスト項目をスクロールさせて可視範囲がスクロール方向の下端に到達した場合には、図１１に示すように、最後尾のリスト項目から可視範囲内に入ることができるリスト項目のみが表示された状態でスクロール表示は停止することになる。
【００７３】
このようなスクロール表示を行うことにより限られたスクロール領域内において数多くのリスト項目を表示させて設定内容の変更や確認を行うことが可能となる。
【００７４】
しかし、このようなスクロール表示では、全てのリスト項目を同時に表示させることはできないため、ある特定のリスト項目の設定内容を確認しつつ他のリスト項目をスクロール表示させることや、１つの可視範囲内には収まらない複数のリスト項目の設定内容を同時に確認するようなことはできずユーザにとっては不便な場合もある。
【００７５】
例えば、図１１に示したような操作画面において意図したリスト項目の設定内容の変更や確認を行ってスタートボタンを操作してコピー動作を行おうとした場合、カラーモードが「カラー」であったのか「白黒」であったのかを確認しようとすると、再度上方向のスクロール表示を行って「カラーモード」のリスト項目を表示させて設定内容を確認する必要がある。そして、「傾き補正」のリスト項目が「補正する」となっていたのか「補正しない」となっていたのかを確認しようとすると、再度下方向のスクロール表示を行って「傾き補正」のリストリスト項目を表示させて設定内容を確認する必要があり、ユーザは何度も操作を行わなければならない。
【００７６】
そのため、本実施形態では、ユーザが常に表示させておきたいリスト項目を選択することが可能となっている。そして、本実施形態の画像形成装置１０では、ユーザにより選択されたリスト項目はスクロール表示を行っても不可視範囲に入ることなく表示され続ける。
【００７７】
このようにユーザが特定のリスト項目を選択した場合の操作画面例を図１２〜図１５を参照して説明する。なお、本実施形態では、操作画面内のスクロール領域では、各リスト項目の左側にそれぞれチェックボックスが配置されており、このチェックボックスがユーザによりタッチされることによりリスト項目の選択が行われる。
【００７８】
なお、以下の説明では、図１２に示すように、ユーザが「カラーモード」と「原稿サイズ」というリスト項目を選択した場合について説明する。
【００７９】
なお、制御部３１は、選択された「カラーモード」と「原稿サイズ」という特定のリスト項目がスクロールしてスクロール領域におけるスクロール方向の上端に到達した場合に、選択されたそのリスト項目がスクロール領域の上端において固定された状態で表示され続けるよう表示部３２を制御する。
【００８０】
この「カラーモード」と「原稿サイズ」というリスト項目が選択された状態で、図１２に示すように、ユーザがスクロール指示を行った場合、スクロール表示が開始される。そして、図１３に示すように、「カラーモード」のリスト項目がスクロール領域の上端に到達すると、そのまま固定した状態で表示され続ける。つまり、他のリスト項目がスクロール表示に伴って上側方向に順次移動しているにもかかわらず「カラーモード」のリスト項目はその場所に固定的に表示され続けることになる。
【００８１】
ここで、このようにスクロール表示に関係なく固定的にリスト項目が表示される領域を固定表示領域と呼ぶものとする。そして、スクロール領域のうち固定表示領域以外の領域を可動表示領域と呼ぶものとする。この可動表示領域は、リスト項目がスクロール可能な領域である。
【００８２】
そして図１３に示した操作画面においてさらにスクロール表示が行われて、図１４に示すように、「原稿サイズ」のリスト項目がスクロール領域のうちの可動領域の上端に到達すると、「カラーモード」のリスト項目と同様にその場所に固定した状態で表示され続ける。つまり、固定表示領域には、「カラーモード」と「原稿サイズ」の２つのリスト項目がスクロール表示により移動することなく固定的に表示され続けることになる。
【００８３】
そのため、ユーザは、「カラーモード」と「原稿サイズ」の２つのリスト項目の設定内容を確認しつつ、他のリスト項目のスクロール表示を実行することができる。
【００８４】
ここで、一般的には操作画面の上側の領域には重要な操作ボタン等が配置される可能性が高い。具体的には、本実施形態のようにコピー操作の場合には、印刷枚数の設定欄やスタートボタン等の重要情報表示がスクロール領域の上端の近傍に配置されている。そのため、ユーザが設定内容を確認したいとして選択されたリスト項目をスクロール領域の上端に固定表示することにより、これらの重要な操作ボタン等の重要情報表示の近傍に選択されたリスト項目が固定的に表示されることになる。そのため、ユーザは、選択したリスト項目の設定内容を確認しつつ、重要な操作ボタン等に対する操作を行うことができることになる。
【００８５】
なお、重要情報表示がスクロール領域の下端の近傍に配置されているような場合であれば、当然ながら、ユーザが設定内容を確認したいとして選択されたリスト項目をスクロール領域の下端に固定表示することにより、ユーザにとっては、重要情報表示と固定表示されてリスト項目の設定内容の確認をし易くなる。
【００８６】
さらに、本実施形態のような上下スクロールの場合には、スクロールの起点方向は上側となる。そして、一般的にユーザはスクロールの起点方向に重要な情報が表示または配置される場合が多いと考える。そのため、ユーザが設定内容を確認したいとして選択されたリスト項目を、スクロールの起点方向である上端に固定表示することによりユーザにとって固定表示されたリスト項目の設定内容を確認する際の利便性が向上することになる。
【００８７】
なお、スクロール方向が左右方向の場合でも、スクロールの起点方向の端部または重要情報表示が配置されている端部にリスト項目を固定表示することにより同様な効果を得ることができる。
【００８８】
なお、図１４に示すような状態でユーザが逆方向、つまり下側方向のスクロール指示を行った場合の操作画面の様子を図１５に示す。図１５に示す操作画面では、下側方向のスクロール表示が行われた結果、可視範囲内に「原稿サイズ」のリスト項目が含まれるような状態となっているため、固定領域内において表示されていた「原稿サイズ」のリスト項目が、他のリスト項目とともに本来の位置においてスクロール表示されるようになっているのが分かる。
【００８９】
そして、図１５に示す操作画面において、さらに下側方向のスクロール表示が行われると、「カラーモード」のリスト項目も他のリスト項目とともに本来の位置においてスクロール表示されるようになる。
【００９０】
このようにユーザが複数のリスト項目の中から設定内容を常に確認できるようにしたい特定のリスト項目を選択した場合、その選択されたリスト項目はスクロール表示が行われた場合でも、操作画面内のいずれかの場所において常に確認ができるようになる。
【００９１】
しかし、図１６に示すように、ユーザが選択するリスト項目の数が多くなると固定表示領域の面積が大きくなり、スクロール表示が可能な可動表示領域の面積が狭くなり過ぎる場合がある。図１６に示した操作画面例では、ユーザが、「両面印刷」、「カラーモード」、「原稿サイズ」、「出力用紙サイズ」、「用紙トレイ設定」という５つのリスト項目を常に表示させ続けたいリスト項目として選択した場合を示している。なお、図１６では、分かり易いように固定表示領域を網掛けして表示しているが、実際の操作画面では、可動表示領域と固定表示領域とは同様な表示色により表示される。
【００９２】
そして、図１６に示した操作画面例では、可動表示領域が狭くなっておりユーザがスクロール表示を行っても可視範囲に含まれるリスト項目がほぼ１つのみになってしまっているのが分かる。
【００９３】
そこで、本実施形態の画像形成装置１０では、固定表示領域の面積が予め設定された値以上となった場合、つまりスクロール表示が可能な可動表示領域の面積が予め設定された値以下となった場合、固定表示領域を縮小して可動表示領域が拡張されるような表示制御が行われる。
【００９４】
このような固定表示領域を縮小する表示制御が行われる場合の操作画面例を図１７〜図２０に示す。
【００９５】
図１７に示した操作画面例では、固定表示領域におけるリスト項目について、そのリスト項目を表したアイコン（図柄表示）のみを表示することにより固定表示領域を縮小した場合の一例が示されている。
【００９６】
図１７の操作画面例では、このような固定表示領域の縮小が行われることによりその面積も狭くなり、可動表示領域が拡大されているのが分かる。
【００９７】
なお、このような固定表示領域において表示されたリスト項目の設定内容を変更する場合には、図１８に示すように、設定内容を変更しようとするリスト項目のアイコンが表示された操作ボタンをタッチして、表示された吹き出し表示において設定内容を切替えるような操作を行えば良い。
【００９８】
なお、固定表示領域におけるリスト項目について、そのリスト項目を表したアイコンとともに現在の設定内容を簡易的に表示することにより固定表示領域を縮小した場合の操作画面例を図１９に示す。
【００９９】
例えば、図１９に示した操作画面例では、カラーモードのリスト項目を示すアイコンとともに、設定内容がカラーであることが分かるようなアイコンが表示されている。また、図１９に示した操作画面例では、両面印刷のリスト項目を示すアイコンとともに、設定内容が片面印刷であることが分かる「片面」という文字が１つの操作ボタン内に表示されているのが分かる。
【０１００】
また、固定表示領域におけるリスト項目について、そのリスト項目を表した文字のみを簡易的に表示することにより固定表示領域を縮小した場合の操作画面例を図２０に示す。
【０１０１】
図２０に示した操作画面例では、「両面印刷」、「カラーモード」等の文字が表示された操作ボタンが固定表示領域内に表示されているのが分かる。なお、縮小表示される前の項目名をそのまま表示するようにしても良いし、文字数の多い項目名については短縮表現を用意しておき、この短縮表現が表示された操作ボタンを固定表示領域に表示するようにしても良い。例えば、図２０では、「出力用紙サイズ」、「用紙トレイ設定」という項目名が、それぞれ「用紙サイズ」、「トレイ設定」という短縮表現に変換されている。さらに、文字数の多い項目名については、先頭から予め設定された文字数、例えばＮ文字までを短縮表現として操作ボタンに表すようにしても良い。
【０１０２】
このような固定表示領域を縮小して表示する際に、それぞれの操作ボタンに項目名を表す場合の表示制御処理を図２１のフローチャートを参照して説明する。
【０１０３】
なお、ここでは固定表示領域が既に縮小表示されており、スクロール動作に伴って選択されたリスト項目が固定表示領域内に新たに追加されていく際の処理について説明する。
【０１０４】
制御部３１は、選択されたリスト項目のうち、スクロールされた結果不可視範囲となったものを抽出する(ステップＳ１０１)。そして、抽出されたリスト項目が存在する場合(ステップＳ１０２においてｙｅｓ)、制御部３１は、抽出されたリスト項目を１つ選択する(ステップＳ１０３)。
【０１０５】
そして、選択されたリスト項目に短縮表現が存在する場合(ステップＳ１０４においてｙｅｓ)、制御部３１は、短縮表現の操作ボタンを生成する(ステップＳ１０６)。
【０１０６】
また、選択されたリスト項目に短縮表現が存在しない場合(ステップＳ１０４においてｎｏ)、制御部３１は、選択されたリスト項目の項目名の先頭Ｎ文字を短縮表現として設定する(ステップＳ１０５)。そして、制御部３１は、ステップＳ１０５において設定された短縮表現の操作ボタンを生成する(ステップＳ１０６)。
【０１０７】
そして、制御部３１は、生成した操作ボタンを固定表示領域に配置する（ステップＳ１０７）。なお、ステップＳ１０２において抽出されたリスト項目のうち処理が完了していないものがある場合（ステップＳ１０８においてｎｏ）、制御部３１は、ステップＳ１０３〜Ｓ１０７までの処理を繰り返す。
【０１０８】
[変形例]
上記実施形態では、画像形成装置１０に対して本発明を適用した場合について説明したが、本発明はこれに限定されるものではなく、スマートフォンやタブレット端末装置、パーソナルコンピュータ等の複数のリスト項目をスクロール表示するような機能を有する情報処理装置であれば同様に本発明を適用することができるものである。
【符号の説明】
【０１０９】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    制御部
３２    表示部
３３    記憶部
３４    操作受付部
３５    画像読取部
３６    通信部
３７    画像出力部
４０    操作パネル
【図１】
2020030455.tif 000003
【図２】
2020030455.tif 000004
【図３】
2020030455.tif 000005
【図４】
2020030455.tif 000006
【図５】
2020030455.tif 000007
【図６】
2020030455.tif 000008
【図７】
2020030455.tif 000009
【図８】
2020030455.tif 000010
【図９】
2020030455.tif 000011
【図１０】
2020030455.tif 000012
【図１１】
2020030455.tif 000013
【図１２】
2020030455.tif 000014
【図１３】
2020030455.tif 000015
【図１４】
2020030455.tif 000016
【図１５】
2020030455.tif 000017
【図１６】
2020030455.tif 000018
【図１７】
2020030455.tif 000019
【図１８】
2020030455.tif 000020
【図１９】
2020030455.tif 000021
【図２０】
2020030455.tif 000022
【図２１】
2020030455.tif 000023